(57)【要約】【課題】  使用者の趣味・好みの使い心地に細かくかつ自在に合わせられる手軽にカスタマイズ可能な掛け布団を提供する。【解決手段】  袋状に構成された略矩形の布団側の使用者の就寝方向に平行な方向の一端に沿って開閉自在な開口部を設けると共にこの布団側の内部を前記方向に直角な方向に仕切って小袋体を複数個構成し、かつこの小袋体の内部に前記開口部から出し入れ可能な中身を羽毛，羊毛，綿，ポリエステル繊維等の素材からなる異なる複数種類のものとして、これらの中身を選んで前記小袋体内に閉じ込めて布団となるようにしたことを特徴とする掛け布団。【選択図】  図３
0003132844.tif 000002
【実用新案登録請求の範囲】
【請求項１】
袋状に構成された略矩形の布団側の使用者の就寝方向に平行な方向の一端に沿って開閉自在な開口部を設けると共にこの布団側の内部を前記方向に直角な方向に仕切って小袋体を複数個構成し、かつこの小袋体の内部に前記開口部から出し入れ可能な中身を羽毛，羊毛，綿，ポリエステル繊維等の素材からなる異なる複数種類のものとして、これらの中身を選んで前記小袋体内に閉じ込めて布団となるようにしたことを特徴とする掛け布団。
【請求項２】
就寝時の使用者の下半身に面することを意図される布団側の部分にある小袋体の仕切間隔を、就寝時の使用者の上半身に面することを意図される布団側の部分にある小袋体の仕切間隔より広くすると共に、この広い仕切間隔を有する小袋体に入れる中身の厚みを狭い仕切間隔を有する小袋体に入れる中身の厚みより少し厚くしたことを特徴とする請求項１記載の掛け布団。
【請求項３】
小袋体に入れる中身を中央が少し盛り上がるアーチ状となるように成形したことを特徴とする請求項１又は２記載の掛け布団。
【考案の詳細な説明】
【技術分野】
【０００１】
本考案は、使用者の趣向や季節変化に細かくかつ自在に合わせられる手軽にカスタマイズ可能な掛け布団に関するものである。
【背景技術】
【０００２】
一般的に、掛け布団は、使用者の趣味・好みの使い心地（暖かさ，感触，軽さなど）や季節に応じて、使用者が必要とする掛け布団の種類が変化する。掛け布団は、主に布団側の内部に充填する素材によってその種類が変化し、例えば充填素材が羽毛の場合の羽毛掛け布団，充填素材が羊毛の場合の羊毛掛け布団，充填素材が綿の場合の綿掛け布団，充填素材がポリエステル繊維の場合のポリエステル繊維掛け布団等がある。
【０００３】
従来の掛け布団は、前記したように充填素材によって種類分けされ、そしてそれぞれの充填素材による特徴を掛け布団の特徴として有しているので、使用者の趣味・好みの使い心地（暖かさ，感触，軽さなど）に合わせて使用したいときには、それぞれの趣味・好みの使い心地に合った掛け布団を複数枚用意する必要があった。また、掛け布団の充填素材を部位別に細かく変化させたい場合には、従来の掛け布団では対応することが困難であった。
【０００４】
そのために、近年、一つの掛け布団で、使用者の趣味・好みの使い心地（暖かさ，感触，軽さなど）に細かくかつ自在に合わせることができる手軽にカスタマイズ可能な掛け布団が、待望されている。
【０００５】
なお、従来のものとしては、例えば特許文献１に示すような布団がある。この布団は、図６に示すように布団側１の内部を仕切り、その仕切空間に出し入れ可能なバッグ２（充填物が入っている）を設けてなるものである。しかしながら、この布団では、布団側１と複数のバッグ２とに分けることによりそれぞれを別々に洗濯できるという点で便利にはなるが、前記したように手軽にカスタマイズ可能な掛け布団を提供することはできない。
【特許文献１】実用新案登録第３１０９５５０号公報
【考案の開示】
【考案が解決しようとする課題】
【０００６】
本考案は、かかる従来の現状に鑑み創案されたものであり、その目的は、使用者の趣味・好みの使い心地（暖かさ，感触，軽さなど）に細かくかつ自在に合わせられる手軽にカスタマイズ可能な掛け布団を提供することである。
【課題を解決するための手段】
【０００７】
本考案は、袋状に構成された略矩形の布団側の使用者の就寝方向に平行な方向の一端に沿って開閉自在な開口部を設けると共にこの布団側の内部を前記方向に直角な方向に仕切って小袋体を複数個構成し、かつこの小袋体の内部に前記開口部から出し入れ可能な中身を羽毛，羊毛，綿，ポリエステル繊維等の素材からなる異なる複数種類のものとして、これらの中身を選んで前記小袋体内に閉じ込めて布団となるようにしたことを特徴とする掛け布団である。
【０００８】
本考案の掛け布団の好ましい態様では、就寝時の使用者の下半身に面することを意図される布団側の部分にある小袋体の仕切間隔を、就寝時の使用者の上半身に面することを意図される布団側の部分にある小袋体の仕切間隔より広くすると共に、この広い仕切間隔を有する小袋体に入れる中身の厚みを狭い仕切間隔を有する小袋体に入れる中身の厚みより少し厚くしたことを特徴とする。
【０００９】
また、本考案の掛け布団の好ましい態様では、小袋体に入れる中身を中央が少し盛り上がるアーチ状となるように成形したことを特徴とする。
【考案の効果】
【００１０】
請求項１の考案は、複数の小袋体からなる布団側とその小袋体に入れ替え可能な複数種類の中身素材とからなっているので、使用者の趣味・好みの使い心地（暖かさ，感触，軽さなど）に細かく合わせた掛け布団をその場で簡単に作成し提供することができる。
【００１１】
請求項２の考案は、使用者の上半身に面することを意図される布団側の部分に入る中身より使用者の下半身に面することを意図される布団側の部分に入る中身の厚みを少し厚くしているので、使用者の下半身、特に足元に面することを意図される掛け布団の下半分が少し厚くなって暖かさが増し、足元冷え性の使用者に最適な掛け布団を提供することができる。
【００１２】
請求項３の考案は、小袋体に入れる中身を中央が少し盛り上がるアーチ状となるように成形しているので、これを小袋体内に閉じ込めて布団を構成すると、掛け布団の中央部分が少し盛り上がって身体の入るスペースができるようになり、就寝時の使用者の身体に沿った形の掛け布団を提供することができる。
【考案を実施するための最良の形態】
【００１３】
本考案の掛け布団は、内部を使用者の就寝方向と直角に仕切って構成した複数の小袋体からなる布団側と、この小袋体の開閉自在な開口部から出し入れ可能な羽毛，羊毛，綿，ポリエステル繊維等の素材からなる異なる複数種類の中身とから構成することにより実現される。
【実施例１】
【００１４】
請求項１の考案の一実施例を図１〜図３について説明する。図１は掛け布団の全体を示す外観斜視図、図２は図１の布団側内にある中身を取り出して示す斜視図、図３は掛け布団を分解して示す外観斜視図である。
【００１５】
図において、３は袋状に構成された布団側であり、使用者の就寝方向に平行な方向の一端に沿って開閉自在な開口部４を有している。この布団側３の内部は、使用者の就寝方向に垂直な方向に仕切られて複数個（図面では６個）の片側開きの小袋体５が構成されている。
【００１６】
上記構成において、開口部４は、例えば布団側３の一端の全長にわたって或いは小袋体５毎に設けられるファスナー（図示せず）等を設けることによって開閉自在とすることができる。また、布団側３の内部を仕切る手段としては、例えば布団側３を外側から仕切線上に沿って縫合することにより布団側３の内部を仕切るようにすることができる。
【００１７】
次に、６は小袋体５の内部に開口部４から出し入れ可能な状態で閉じ込められる中身であり、小袋体５の内部にきっちりとはまり込む略板状の形状を有していると共に、羽毛，羊毛，綿，ポリエステル繊維等の素材がそれぞれ別々に充填された異なる複数種類のものとして構成されている。
【００１８】
図３に示す分解した状態で、各素材から使用者の趣味・好みに応じて羽毛の充填された中身６を６個選んで、布団側３の６個の小袋体５内にそれぞれ入れ、それぞれの開口部４を閉じると、図１に示すような羽毛掛け布団ができる。同様にして、羊毛の充填された中身６を使うと羊毛掛け布団ができるし、綿の充填された中身６を使うと綿掛け布団ができるし、ポリエステル繊維の充填された中身６を使うとポリエステル繊維掛け布団ができる。
【００１９】
このように中身６の種類を選ぶことにより、使用者の好みの種類の掛け布団が自在に得られるので、趣味・好みの使い心地（暖かさ，感触，軽さなど）に合わせて，また季節に合わせて自在に種類の異なる掛け布団を提供することができる。つまり、１枚の布団側３と複数種類の複数個の中身６とを準備しておけば、以上のように自在に使用者の好みの種類の掛け布団がその場で得られるので、従来のように複数種類の異なる掛け布団を複数枚準備する必要がない。
【００２０】
また、店頭において掛け布団を購入する場合には、好みの布団側３と好みの中身６をそれぞれ選んだ後、その場で中身６を布団側３の小袋体５内にそれぞれ入れると、好みの掛け布団を店頭で作れるので、店頭において好みのイメージ通りの現物を確認した上で購入することができる。
【００２１】
このとき、中身６の種類を羽毛，羊毛，綿，ポリエステル繊維と個々に選んで、羽毛掛け布団，羊毛掛け布団，綿掛け布団，ポリエステル繊維掛け布団とすることは勿論可能であるが、羽毛，羊毛，綿，ポリエステル繊維の各種類の中身６を好みの数ずつ自在に組み合わせて独自の掛け布団とすることも、また例えば掛け布団の上半分（使用者の上半身に面することを意図される部分）と下半分（使用者の下半身に面することを意図される部分）とで中身６の種類を変えることによって、掛け布団の下半分（使用者の下半身に面することを意図される部分）に暖かさを持たせて、足元冷え性に向く掛け布団とすることも可能である。
【００２２】
以上のように掛け布団を布団側３と中身６とに分けて構成しておくと、中身６の種類によっては家庭の洗濯機でも容易に洗濯（丸洗い）できるようになるし、布団側３や中身６のいずれかが傷んだときには個別に自由に取り替えることも可能になる。
【実施例２】
【００２３】
請求項２の考案の一実施例を図４、図５について説明する。図４は掛け布団の全体を示す外観斜視図、図５は図４の布団側内にある中身を取り出して示す斜視図である。
【００２４】
この実施例の掛け布団は、使用者の下半身に面することを意図される布側の部分にある小袋体５の仕切間隔を、使用者の上半身に面することを意図される布側の部分にある小袋体５の仕切間隔より広く（長く）すると共に、この広い仕切間隔を有する小袋体５ａに入れる中身６の厚みを狭い仕切間隔を有する小袋体５ｂに入れる中身６の厚みより少し厚くしてある。
【００２５】
このように広い小袋体５ａに少し厚い中身６を入れることにより、掛け布団の下半分（使用者の下半身に面することを意図される部分）が少し厚くなって暖かさが増すので、足元冷え性の使用者には最適な掛け布団になる。
【実施例３】
【００２６】
請求項３の考案の一実施例を、前記実施例２と同様に図４、図５について説明する。図４は掛け布団の全体を示す外観斜視図、図５は図４の布団側内にある中身を取り出して示す斜視図である。
【００２７】
この実施例の掛け布団は、中身６を中央が少し盛り上がるアーチ状となるように成形してある。従って、このアーチ状の中身６を布団側３の小袋体５内に閉じ込めて掛け布団を構成すると、図４に示すように掛け布団の中央部分が少し盛り上がってその下に身体の入るスペースができるようになり、就寝時の使用者の身体に沿った形の掛け布団を提供することができる。
【００２８】
図５に示すように中身６をアーチ状に構成する手段として、例えばアーチ状に設計された複合分割型長繊維スパンレース不織布を中身６の外皮体として用いると、効果的にアーチ状の中身６が得られる。このエボロン生地は、通常の生地より軽く，摩擦係数が高いために、型崩れが起こりにくいので、中身６のアーチ形状が保持されることができる。
【産業上の利用可能性】
【００２９】
本考案は、使用者の趣向に細かく対応することができる掛け布団を販売現場ですぐに提供することができるので、極めて有用である。
【図面の簡単な説明】
【００３０】
【図１】本考案の実施例１を示す掛け布団全体の外観斜視図である。
【図２】図１の布団側内にある中身を取り出して示す斜視図である。
【図３】掛け布団を分解して示す外観斜視図である。
【図４】本考案の実施例２、３を示す掛け布団全体の外観斜視図である。
【図５】図４の布団側内にある中身を取り出して示す斜視図である。
【図６】従来の掛け布団を分解して示す外観斜視図である。
【符号の説明】
【００３１】
１：布団側
２：バッグ
３：布団側
４：開口部
５：小袋体
５ａ：仕切間隔が広い小袋体
５ｂ：仕切間隔が狭い小袋体
６：中身
【図１】
0003132844.tif 000003
【図２】
0003132844.tif 000004
【図３】
0003132844.tif 000005
【図４】
0003132844.tif 000006
【図５】
0003132844.tif 000007
【図６】
0003132844.tif 000008